(57)【要約】本開示は、地理的位置の属性情報を特定する方法及び装置を開示する。前記方法は：ナビゲーションサーバから地理的位置の地理的特徴を取得するステップと；予め格納された過去のデータに基づいて、前記地理的位置の行動的特徴及び人口的特徴を特定するステップと；前記地理的特徴、前記行動的特徴、及び前記人口的特徴、のうちの少なくとも１つに基づいて、前記地理的位置の属性情報を特定するステップと；を含む。上で述べた方法から分かるように、ユーザは、地理的位置を入力した後に、地理的位置に関する情報を照会することなく地理的位置の属性情報を直接取得し、それによって、地理的位置を照会中におけるユーザ操作の便宜性を効果的に改善できる。
2019512806.tif 000002
【特許請求の範囲】
【請求項１】
ナビゲーションサーバから地理的位置の地理的特徴を取得するステップと；
予め格納された過去のデータに基づいて、前記地理的位置の行動的特徴及び人口的特徴を特定するステップと；
前記地理的特徴、前記行動的特徴、及び前記人口的特徴、のうちの少なくとも１つに基づいて、前記地理的位置の属性情報を特定するステップと；を備える、
地理的位置の属性情報を特定する方法。
【請求項２】
前記地理的位置の前記属性情報は、前記地理的位置の商業的価値を含む、
請求項１に記載の方法。
【請求項３】
前記地理的特徴は、前記地理的位置の過去の照会頻度情報、前記地理的位置の人口分布情報、前記地理的位置の基本的地理情報、及び前記地理的位置のカテゴリ情報、のうちの少なくとも１つを含み、
前記行動的特徴は、オンライン情報及びオフライン情報を含み、
前記オンライン情報は、前記地理的位置の過去の支払い情報を含み、
前記オフライン情報は、前記地理的位置の過去のオフライン取引情報及び前記地理的位置の評価情報を含み、
前記人口的特徴は、前記地理的位置におけるユーザの消費特徴情報及び年齢分布情報を含む、
請求項２に記載の方法。
【請求項４】
前記地理的特徴、前記行動的特徴、及び前記人口的特徴、のうちの少なくとも１つに基づいて、前記地理的位置の属性情報を特定する前記ステップは：
前記地理的特徴、前記行動的特徴、及び前記人口的特徴、のそれぞれに含まれる情報のスコアを取得するステップと；
前記地理的特徴、前記行動的特徴、及び前記人口的特徴、のそれぞれに含まれる前記情報の重みを特定するステップと；
前記取得したスコアに対して重み付け計算を実行して前記地理的位置の前記商業的価値を特定するステップと；を備える、
請求項２に記載の方法。
【請求項５】
前記地理的特徴、前記行動的特徴、及び前記人口的特徴のそれぞれに含まれる前記情報の重みを特定する前記ステップは：
前記地理的特徴、前記行動的特徴、及び前記人口的特徴に含まれる任意の情報の真正性及び完全性を特定するステップと；
前記情報の前記真正性及び前記完全性に基づいて前記情報の重みを特定するステップと；を備える、
請求項４に記載の方法。
【請求項６】
前記ナビゲーションサーバが、ユーザに提供される電子マップ上に前記地理的位置の前記商業的価値を表示するために、前記ナビゲーションサーバに前記地理的位置の前記商業的価値を提供するステップ；又は
クレジットサービスプラットフォームが前記地理的位置の前記商業的価値に基づいてローンサービスを実行するために、前記クレジットサービスプラットフォームに前記地理的位置の前記商業的価値を提供するステップ；又は
ユーザのために前記地理的位置の前記商業的価値を提供するステップ；を備える、
請求項２に記載の方法。
【請求項７】
ナビゲーションサーバから地理的位置の地理的特徴を取得する第１の取得モジュールと；
予め格納された過去のデータに基づいて、前記地理的位置の行動的特徴及び人口的特徴を取得するように構成された第２の取得モジュールと；
前記地理的特徴、前記行動的特徴、及び前記人口的特徴のうちの少なくとも１つに基づいて、前記地理的位置の属性情報を特定するように構成された特定モジュールと；
を備える、
地理的位置の属性情報を特定するデバイス。
【請求項８】
前記地理的位置の前記属性情報は、前記地理的位置の商業的価値を含む、
請求項７に記載のデバイス。
【請求項９】
前記地理的特徴は、前記地理的位置の過去の照会頻度情報、前記地理的位置の人口分布情報、前記地理的位置の基本的地理情報、及び前記地理的位置のカテゴリ情報、のうちの少なくとも１つを含み、
前記行動的特徴は、オンライン情報及びオフライン情報を含み、
前記オンライン情報は、前記地理的位置の過去の支払い情報を含み、
前記オフライン情報は、前記地理的位置の過去のオフライン取引情報及び前記地理的位置の評価情報を含み、
前記人口的特徴は、前記地理的位置におけるユーザの消費特徴情報及び年齢分布情報を含む、
請求項８に記載のデバイス。
【請求項１０】
前記特定モジュールは、前記地理的特徴、前記行動的特徴、及び前記人口的特徴のそれぞれに含まれる情報のスコアを取得し；前記地理的特徴、前記行動的特徴、及び前記人口的特徴のそれぞれに含まれる前記情報の重みを特定し；前記取得したスコアに対して重み付け計算を実行して前記地理的位置の前記商業的価値を特定するように構成された、
請求項８に記載のデバイス。
【請求項１１】
前記特定モジュールは、前記地理的特徴、前記行動的特徴、及び前記人口的特徴に含まれる任意の情報の真正性及び完全性を特定し；前記情報の重みを前記情報の前記真正性及び前記完全性に基づいて特定するように構成された、
請求項１０に記載のデバイス。
【請求項１２】
前記ナビゲーションサーバがユーザに提供された電子マップ上に前記地理的位置の前記商業的価値を表示するために、前記ナビゲーションサーバに前記地理的位置の前記商業的価値を提供するように；又は、クレジットサービスプラットフォームが前記地理的位置の前記商業的価値に基づいてローンサービスを実行するために、前記クレジットサービスプラットフォームに前記地理的位置の前記商業的価値を提供するように；又は、ユーザのために前記地理的位置の前記商業的価値を提供するように；構成された提供モジュールを更に備える、
請求項７に記載のデバイス。
【発明の詳細な説明】
【技術分野】
【０００１】
本願は、２０１６年３月１６日に中国特許庁に出願され「地理的位置の属性情報を特定するための方法及びデバイス」と題された中国特許出願第２０１６１０１４９８７７．６号の優先権を主張し、上記中国特許出願は参照によってその全体が本明細書に組み込まれる。
【０００２】
本開示は、コンピュータ技術の分野、特に、地理的位置の属性情報を特定するための方法及びデバイスに関する。
【背景技術】
【０００３】
情報技術の発展によって、人はいつでもどこでも携帯電話やタブレットコンピュータなどの端末デバイスを使って様々な地理的位置を照会することができる。
【０００４】
既存の技術では、旅行をより便利にするため、マップナビゲーションソフトウェアにより交通密度マップが提供される。過密地区や過疎地区など、異なる地区に異なる色が付けられているので、ユーザは、密度マップに基づいて、地区が密集しているかどうかを特定できる。
【０００５】
しかし、上で述べた工程から分かるように、密度マップは人口密度だけを表示でき、繁栄のレベル、飲食施設の密度、娯楽施設の密度等の、地理的位置の他の属性情報は表示できない。ユーザが地区の他の属性情報を取得したい場合、ユーザは他の情報を照会する必要がある。操作ステップが増えれば、それだけユーザの利便性は低下する。
【０００６】
例えば、観光客が北京に来て、北京の繁栄している商業地区に行きたい場合、観光客がマップナビゲーションソフトウェアを使って北京の地理情報を照会しても、北京の商業地区の情報は取得できない。観光客は、既存の技術の交通密度マップを用いて、昌平区（Ｃｈａｎｇｐｉｎｇ  Ｄｉｓｔｒｉｃｔ）の過密な回竜観（Ｈｕｉｌｏｎｇｇｕａｎ）（道教寺院（Ｔａｏｉｓｔ  ｔｅｍｐｌｅ））を特定しても、その地区が繁栄している商業地区であるかどうかを特定できない。観光客は他の方法を使って回竜観が商業地区であるかどうかを照会することしかできない。
【０００７】
明らかに、上で述べた工程におけるユーザ操作は不便である。
【発明の概要】
【０００８】
本願の実施は、地理的位置の属性情報を特定するための方法及びデバイスを提供し、ユーザが地理的位置の属性情報を取得する場合に操作上の不都合が生じるという既存の技術の問題を解決する。
【０００９】
本願の実施は、地理的位置の属性情報を特定する方法を提供し、前記方法は：ナビゲーションサーバから地理的位置の地理的特徴を取得するステップと；予め格納された過去のデータに基づいて、前記地理的位置の行動的特徴及び人口的特徴を特定するステップと；前記地理的特徴、前記行動的特徴、及び前記人口的特徴、のうちの少なくとも１つに基づいて、前記地理的位置の属性情報を特定するステップと；を含む。
【００１０】
本願の実施は、地理的位置の属性情報を特定するためのデバイスを提供し、前記デバイスは：ナビゲーションサーバから地理的位置の地理的特徴を取得するように構成された第１の取得モジュールと；予め格納された過去のデータに基づいて、前記地理的位置の行動的特徴及び人口的特徴を取得するように構成された第２の取得モジュールと；前記地理的特徴、前記行動的特徴、及び前記人口的特徴のうちの少なくとも１つに基づいて、前記地理的位置の属性情報を特定するように構成された特定モジュールと；を含む。
【００１１】
本願は、地理的位置の属性情報を特定するための方法を提供する。地理的位置の地理的特徴はナビゲーションサーバから取得される。地理的位置の行動的特徴（ｂｅｈａｖｉｏｒ  ｆｅａｔｕｒｅ）及び人口的特徴（ｐｏｐｕｌａｔｉｏｎ  ｆｅａｔｕｒｅ）は、予め記憶された過去のデータに基づいて特定される。地理的位置の属性情報は、地理的特徴、行動的特徴、及び人口的特徴のうちの少なくとも１つに基づいて特定される。上で述べた方法から分かるように、ユーザは、地理的位置を入力した後に、地理的位置に関する情報を照会することなく、地理的位置の属性情報を直接取得し、それによって、地理的位置の照会中におけるユーザ操作の便宜性を効果的に改善できる。
【図面の簡単な説明】
【００１２】
本明細書に添付の図面は、本願のさらなる理解を提供するために使用され、本願の一部を構成する。本願の例示的な実施、及び実施の説明は、本願を説明するために使用され、本願に対する不適切な限定を構成しない。
【００１３】
【図１】図１は本願の実施による、地理的位置の属性情報を特定する工程を示す。
【００１４】
【図２】図２は本願の実施による、地理的位置の属性情報を特定するためのデバイスを示す概略構造図である。
【発明を実施するための形態】
【００１５】
本願の目的、技術的解決策、及び利点をより明確にするために、本願の特定の実施及び対応する添付図面を参照して、以下に、本願の技術的解決策を明確かつ完全に記載する。明らかに、記載された実施は、本願の実施の全てではなく一部である。創作努力なしに本願の実施に基づいて当業者によって得られる他の全ての実施は、本願の保護範囲内に入るものとする。
【００１６】
図１は、本願の実施による、地理的位置の属性情報を特定する工程を示す。この工程は以下のステップを含む。
【００１７】
Ｓ１０１．ナビゲーションサーバから地理的位置の地理的特徴を取得する。
【００１８】
ユーザが或る地理的位置の属性情報を取得したい場合、ユーザは、最初に地理的位置の名称をサーバ又は端末デバイスに入力でき、サーバ又は端末デバイスは、地理的位置の地理的特徴を取得できる。地理的特徴は、地理的位置の緯度、経度、標高又は他の測定基準を含むことができる。更に、現在ではナビゲーションサービスが広く使用されているので、サーバは、ナビゲーションサービスを提供するナビゲーションサーバから地理的位置の地理的特徴を取得することもできる。
【００１９】
Ｓ１０２．予め格納された過去のデータに基づいて、地理的位置の行動的特徴及び人口的特徴を特定する。
【００２０】
本願のこの実施では、地理的特徴に加え、地理的位置の属性情報が、地理的位置における人々の行動的特徴及び人口的特徴に基づいて更に特定される必要がある。行動的特徴は、地理的位置における人々の様々な行動及び習慣に関する特徴、例えば、地理的位置における飲食の場所又は娯楽の場所における人々の一般的な消費の限度などを示す。人口的特徴は、性別分布や年齢分布など、地理的位置にいる人々の特徴である。
【００２１】
Ｓ１０３．地理的特徴、行動的特徴、及び人口的特徴のうちの少なくとも１つに基づいて、地理的位置の属性情報を特定する。
【００２２】
地理的特徴、行動的特徴、及び人口的特徴の３つの特徴が特定された後、それらの少なくとも１つに基づいて、地理的位置の属性情報を特定できる。例えば、３つの特徴及び特定対象属性情報に基づいて、指定されたアルゴリズムモデルを予め訓練することができる。したがって、３つの特徴を特定し、予め訓練されたアルゴリズムモデルへ直接入力して地理的位置の出力属性情報を取得できる。
【００２３】
代替として、必要とされる各特徴のスコアを取得し、最終的に重み付け計算を実行して地理的位置の属性情報を取得する。最初に、地理的位置の地理的特徴、行動的特徴、及び人口的特徴のスコアを別々に取得できる。スコアは以下のように取得できる。すなわち、サーバ又は端末デバイスが、地理的位置の３つの特徴を、他の地理的位置の３つの対応する特徴と比較し、これらの地理的位置を特定の規則に基づいてランク付けし、最終的には、ランクに基づいてスコアを取得する。或いは、サーバ又は端末デバイスが、地理的位置の３つの特徴を提示でき、３つの特徴に基づいてスタッフが自発的にスコアを与える。
【００２４】
３つの特徴のスコアを別々に取得した後に、地理的位置の地理的特徴、行動的特徴、及び人口的特徴にそれぞれ対応する重みを特定でき、次いで各特徴のスコア及び重みに基づいて重み付け計算を実行する。加重和は、地理的位置の属性値である。属性値に基づいて、地理的位置の属性情報を特定できる。各特徴の重みは、少なくとも特徴の完全性と、真正性と、重要性とを用いて特定できる。言い換えれば、各特徴の重みは、特徴の、完全性の重みと、真正性の重みと、重要性の重みとを用いて特定される。
【００２５】
上で述べた方法から分かるように、ユーザは、地理的位置を入力した後に、別の方法で地理的位置の属性情報を照会することなく、地理的位置の属性情報を直接取得し、それによって、地理的位置の照会中においてユーザ操作の便宜性を効果的に改善できる。
【００２６】
地理的位置の属性情報は商業的価値であるとする例を使って、地理的位置の商業的価値を特定する詳細な工程を以下説明する。
【００２７】
最初に、地理的位置の商業的価値を特定し提供するように構成されたサーバは、地理的位置の過去の照会頻度情報、地理的位置の人口分布情報、地理的位置の基本的地理情報、及び地理的位置のカテゴリ情報、のうちの少なくとも１つをナビゲーションサーバから取得し地理的特徴として役立てることができる。
【００２８】
次に、行動的特徴として役立つオンライン情報及びオフライン情報を支払いサーバから取得する。オンライン情報には、地理的位置の過去の支払い情報が含まれるが、これに限定されない。オフライン情報には、地理的位置の過去のオフライン取引情報及び地理的位置の評価情報が含まれるが、これに限定されない。
【００２９】
同様に、人口的特徴として役立つ地理的位置にあるユーザの消費特徴情報及び年齢分布情報のうちの少なくとも一方を、支払いサーバから取得する。
【００３０】
地理的特徴、行動的特徴、及び人口的特徴に含まれる情報を表１に示す。
2019512806.tif 000003
【００３１】
もちろん、記載の情報に加え、表１に示す各特徴は、統計収集を通してナビゲーションサーバ及び支払いサーバによって情報が取得されるとすれば、他の情報を更に含むことができる。例えば、人口的特徴は、地理的位置におけるユーザの性別分布情報、職業分布情報、又は他の関連情報を更に含むことができる。
【００３２】
表１に示す行動的特徴は、支払いサーバ上の過去のデータを用いて統計収集を通して取得できる点は注目に値する。地理的位置の過去の支払い情報が統計収集を通して取得されると、地理的位置において生成され支払いサーバに記憶された、水、電気及びガスの支払いログを取得でき、次いで、ある特定サイクルにおける電気及びガスの平均支払額、平均使用量、ピーク時間、オフピーク時間が、各ログに記録されている支払額、使用量、支払時間等に基づいて計算される。オフライン取引情報に対して統計収集を実行すると、支払いサーバを用いて銀行振込記録を取得でき、その振込記録に基づいて特定期間内の地理的位置における平均振込取引金額が特定される。評価情報に対して統計収集が実行されると、支払いサーバに記憶された地理的位置における各指標（例えば、駐車便利度）に対するユーザスコアを取得でき、各平均指標スコアが計算される。
【００３３】
統計収集が人口的特徴に対して実行されると、支払いサーバに記憶される各ユーザアカウントに対応する受信アドレスに基づいて、少なくとも１つの受信アドレスを地理的位置に持つユーザを、地理的位置におけるユーザとして特定できる。これらのユーザの年齢分布情報に対して統計収集が実行されると、支払いサーバに格納されたこれらのユーザアカウントに記録されたユーザ年齢に基づいて、統計収集を通して地理的位置におけるユーザの年齢分布を取得できる。例えば、４つの年齢層、即ち０〜１０歳、１０〜２０歳、２０〜５０歳、及び５０〜７０歳を予め特定できる。各年齢層のユーザ人数が計算され、すべてのユーザの各年齢層のユーザの割合が計算される。地理的位置内のユーザの消費特徴情報に対して統計収集が実行されると、ある特定期間における各ユーザの総消費量、総消費頻度、及び各製品の種類ごとの消費頻度を取引記録に基づいて計算でき、各ユーザの各製品の消費頻度に基づいて、統計収集を通して各ユーザの各製品の消費分布を取得する。
【００３４】
加えて、統計収集が人口的特徴に対して実行されると、地理的位置のユーザは永住者の特徴と非永住者の特徴とで分けられ、統計収集は２つのタイプのユーザに対して別々に実行される。ユーザが永住者ユーザと非永住者ユーザとに分けられていると、支払いサーバに記憶されている各ユーザの取引記録を取得できる。地理的位置にある受信アドレスを含む取引記録の量又は割合が所定の閾値を超えるかどうかが特定され、肯定であれば、ユーザは、地理的位置における永住者ユーザとして特定され、そうでなければ、ユーザは地理的位置における非永住者ユーザとして特定される。
【００３５】
地理的特徴、行動的特徴、及び人口的特徴の３つの特徴が上で述べた方法を用いて統計収集を通して取得された後に、それらのうちの少なくとも１つの特徴に基づいて、地理的位置の属性情報を特定できる。ある特定の工程は以下のとおりである。
【００３６】
ステップ１：表１に示す各特徴に含まれる各情報のスコアを取得し、各情報のインターバルの範囲を事前に決定する。異なるインターバルの範囲は、異なるスコアに対応する。例えば、表２に示すように、商業的価値が特定されると、地理的特徴において住宅地区のスコアは商業地区のスコアよりも低い。というのは、商業地区はより多くのレストラン、娯楽施設、ショッピングモールなどを含む集中的な消費地区であるが、住宅地区は、消費量や消費頻度が商業地区に比べてはるかに少ない集中住宅地に過ぎないからである。したがって、地理的位置のカテゴリ情報が特定されると、商業地区のスコアは住宅地区のスコアよりも高い。
2019512806.tif 000004
【００３７】
別の実施例では、人口の年齢スコアは、人口的特徴で同様に取得される。表３に示すように、０歳から１０歳までの人は自分自身で生活することはできず、親に完全に依存しているため、消費能力は低い。１０歳から２０歳までの人は、主に親から小額のポケットマネー（小遣い銭）を与えられる中学生や高校生であるため、消費能力は０歳から１０歳を上回るものの、依然として比較的低い。２０歳から５０歳の人はそのほとんどが仕事と固定収入源を持っているので、消費能力が高い。子からの援助と退職年金に依存している５０歳から７０歳の人は比較的倹約指向であるので、消費能力は２０歳から５０歳の人々よりも低い。したがって、４つの年齢層の消費能力を降順でランク付けすると、２０〜５０歳、５０〜７０歳、１０〜２０歳、及び０〜１０歳となり、４つの年齢層の消費能力のスコアは、それに応じて低下する。
2019512806.tif 000005
【００３８】
ステップ２：地理的特徴、行動的特徴、及び人口的特徴のそれぞれに含まれる情報の重みを特定する。地理的特徴、行動的特徴、及び人口的特徴に含まれる任意の情報の真正性及び完全性が特定され、情報の重みが情報の真正性及び完全性に基づいて特定される。
【００３９】
ナビゲーションサーバ上のほとんどのデータは路上収集などを通じて収集され、リアルタイムの更新変更を含む支払いサーバに比べて精度が比較的低いので、行動的特徴及び人口的特徴が現実的であるとみなせるときは、地理的特徴の真正性だけを実行する必要がある。したがって、地理的特徴の真正性が特定されると、地理的特徴を行動的特徴と比較することによって、地理的特徴における各情報の真正性を特定できる。例えば、地理的特徴における「地理的位置のカテゴリ情報」の真正性が特定されると、ナビゲーションサーバ上で取得したデータは、地理的位置Ａはレストランであると表示するが、地理的位置Ａは、地理的位置Ａの評価情報又は消費特徴情報を解析した後は、映画館として特定される（例えば、評価情報のキーワードが抽出される、又は、消費特徴の「消費製品カテゴリ分布」において最大確率分布を有する消費製品が特定される）。その結果、地理的特徴における「地理的位置Ａのカテゴリ情報」の真正性は非常に低く、情報の真正性の重みは低い、又は、０である、と特定できる。特定の真正性数量化方法は、以下のようにすることができる。即ち、地理的位置Ａの地理的特徴のキーワード及び地理的位置Ａの行動的特徴のキーワードが抽出される。例えば、地理的特徴のキーワードには、味、配膳速度、清潔度などが含まれ、行動的特徴のキーワードには、オーディオ及び映像、座席、切符などが含まれる。自然言語類似度特定アルゴリズムに基づいて、類似度計算を実行できる。より高い類似度は、より現実的な地理的特徴を示し、逆もまた同様である。結論として、任意の特徴内の任意の情報については、より高い情報の真正性は、より高い真正性の重みを示し、逆もまた同様である。
【００４０】
事前推定されたデータ量を、実際に取得したデータ量と比較することによって、完全性を特定できる。例えば、地理的位置Ａの人口的消費能力は、地理的位置Ａの１０００人の平均月間消費量を計算することによって特定される必要がある。言い換えれば、事前推定データ量は１０００である。しかし、支払いサーバからは７００人の平均月間消費量しか取得できない。言い換えれば、実際に取得されるデータ量は７００である。したがって、情報が完全であるかどうかを特定するために、表４に示す予め分割されたインターバルの範囲に基づいて情報の完全性を取得できる。
2019512806.tif 000006
【００４１】
表４から、月平均消費量は比較的完全な情報であり、対応する重み値は０．７であると特定される。
【００４２】
情報の重みの特定は、情報の真正性と完全性に加えて情報の重要性にも依存する。例えば、レストランが昼食時と夕食時に過密であり、月平均取引量が比較的大きければ、駐車場が便利であると広く評価されている地理的な場所に対し比較的大きな商業的価値が与えられる。したがって、１日の異なる時点における人口分布情報、オフライン取引量情報、及び地理的位置Ａの評価情報の重要性の重みは、地理的特徴、行動的特徴、及び人口的特徴に含まれる他の情報の重要性の重みよりも高い。情報重要性の重みは、必要に応じて人為的に設定できる。
【００４３】
ステップ３：取得したスコアに対して重み付け計算を実行し、地理的位置の属性情報を特定し、地理的位置の属性情報を提供する。各情報スコアに、完全性の重み、真正性の重み、及び重要性の重みを掛け合わせて得られたすべての情報の総重み付けスコアが、地理的位置の商業的価値である。
【００４４】
その後、地理的位置Ａの出力商業的価値をナビゲーションサーバへ提供できるので、ユーザのナビゲーションサーバによって提供される電子マップ上に地理的位置Ａの商業的価値が表示される。商業的価値の程度に基づいてマップ上に異なる色を表示することは、ユーザが都市の商業地区を特定するのに役立つ。或いは、出力された商業的価値がクレジットサービスプラットフォームに提供され、それにより、クレジットサービスプラットフォームは、地理的位置Ａの商業的価値に基づいて、地理的位置Ａに返済能力があるかどうかを特定し、次いでローンサービスを実行する。或いは、中小企業の経営者などのユーザに、出力された商業的価値を提供して、オフラインショップの住所選択を促進する。
【００４５】
地理的位置の属性情報を支払いサーバによって特定できる。或いは、別のサーバが、ナビゲーションサーバから地理的特徴を呼び出し、行動的特徴及び人口的特徴を支払いサーバから呼び出し、次いで重み付け計算を実行し、最終的に地理的位置の属性情報を特定できる。
【００４６】
地理的位置の商業的価値の特定は、上記の実施例として説明のために用いられている。地理的位置の商業的価値に加えて、例えば娯楽施設の密度又は飲食施設の密度など、地理的位置の他の属性情報を、本願における図１に示す方法において更に特定できる。飲食施設の密度が特定されると、地理的特徴、行動的特徴、及び人口的特徴は、異なる情報を含む。例えば、地理的位置Ｂの飲食施設の密度が特定されると、地理的位置Ｂの地理的特徴として、飲食時におけるその地区の交通渋滞度合、その地区と近くの商業地区との間の距離に関する情報、地区の広さ情報、及び地区内のレストランの数を含めることができる。地理的位置Ｂの行動的特徴には、その地区の各レストランの野菜、肉、海産物、等のそれぞれの月平均購入量、その地区の各レストランの１日平均の客数、その地区の各レストランの水、電気、及びガスの月平均使用量、その地区の各レストランの月平均税額、及びその地区の各レストランの１日の平均営業時間を含めることができる。地理的位置Ｂの人口的特徴には、近傍の人々の職業、性別比率、年齢分布などを含めることができる。
【００４７】
本願の実施による地理的位置の属性情報を特定するための方法は、上で述べたとおりである。同様の考え方に基づいて、図２に示すように、本願は、地理的位置の属性情報の特定に対応するデバイスを更に提供する。
【００４８】
図２は本願の実施による、地理的位置の属性情報を特定するためのデバイスを示す概略構造図である。このデバイスは：ナビゲーションサーバから地理的位置の地理的特徴を取得するように構成された第１の取得モジュール２０１と；予め格納された過去のデータに基づいて地理的位置の行動的特徴及び人口的特徴を取得するように構成された第２の取得モジュール２０２と；地理的特徴、行動的特徴、及び人口的特徴、のうちの少なくとも１つに基づいて地理的位置の属性情報を特定するように構成された特定モジュール２０３と；を含む。
【００４９】
地理的位置の属性情報には、地理的位置の商業的価値が含まれる。
【００５０】
地理的特徴には、地理的位置の過去の照会頻度情報、地理的位置の人口分布情報、地理的位置の基本的地理情報、及び地理的位置のカテゴリ情報、のうちの少なくとも１つが含まれる。
【００５１】
行動的特徴には、オンライン情報とオフライン情報とが含まれる。オンライン情報には、地理的位置の過去の支払い情報が含まれる。オフライン情報には、地理的位置の過去のオフライン取引情報と、地理的位置の評価情報とが含まれる。
【００５２】
人口的特徴には、地理的位置におけるユーザの消費特徴情報と年齢分布情報とが含まれる。
【００５３】
特定モジュール２０３は、地理的特徴、行動的特徴、及び人口的特徴のそれぞれに含まれる情報のスコアを取得するように構成され；地理的特徴、行動的特徴、及び人口的特徴のそれぞれに含まれる情報の重みを特定し；取得したスコアに重み付け計算を実行して地理的位置の商業的価値を特定する。
【００５４】
特定モジュール２０３は、地理的特徴、行動的特徴、及び人口的特徴に含まれる任意の情報の真正性及び完全性を特定し、情報の重みを情報の真正性及び完全性に基づいて特定するように更に構成される。
【００５５】
デバイスは：ナビゲーションサーバが、ユーザに提供される電子マップ上で地理的位置の商業的価値を表示するために、ナビゲーションサーバに地理的位置の商業的価値を提供するように；又は、クレジットサービスプラットフォームが、その地理的位置の商業的価値に基づいてローンサービスを実行するために、クレジットサービスプラットフォームの地理的位置の商業的価値を提供するように；又は、ユーザのために地理的位置の商業的価値を提供するように；構成された提供モジュール２０４を更に含む。
【００５６】
図２に示すデバイスは、サーバ又は端末デバイス上に配置できる。
【００５７】
典型的な構成では、コンピューティングデバイスは、１つ又は複数のプロセッサ（ＣＰＵ）、入力／出力インターフェイス、ネットワークインターフェイス、及びメモリを含む。
【００５８】
メモリは、非永続的記憶装置、ランダムアクセスメモリ（ＲＡＭ）、不揮発性メモリ、及び／又は、コンピュータ可読媒体の他の形式、例えば読み出し専用メモリ（ＲＯＭ）又はフラッシュメモリ（フラッシュＲＡＭ）を含むことができる。メモリは、コンピュータ可読媒体の一例である。
【００５９】
コンピュータ可読媒体は、永続性、非永続性、可動性、及び非可動性の媒体を含み、前記媒体は、任意の方法又は技術を用いることによって情報記憶を実施することができる。情報は、コンピュータ可読命令、データ構造、プログラムモジュール、又は他のデータとすることができる。コンピュータ記憶媒体の例は、相変化ランダムアクセスメモリ（ＰＲＡＭ）、スタティックランダムアクセスメモリ（ＳＲＡＭ）、ダイナミックランダムアクセスメモリ（ＤＲＡＭ）、別のタイプのランダムアクセスメモリ（ＲＡＭ）、読み出し専用メモリ（ＲＯＭ）、電気的に消去可能なプログラム可能な読み出し専用メモリ（ＥＥＰＲＯＭ）、フラッシュメモリ、又は他のメモリ技術、コンパクトディスク読み出し専用メモリ（ＣＤ−ＲＯＭ）、デジタル多用途ディスク（ＤＶＤ）、又は他の光学記憶装置、カセット、カセット磁気ディスク記憶装置、又は他の磁気記憶デバイス、又は、任意の他の非送信媒体を含むが、これらに限定されない。コンピュータ記憶媒体は、コンピュータデバイスによりアクセスすることができる情報を保存するように構成することができる。本明細書の定義によれば、コンピュータ可読媒体は、例えば変調データ信号及び搬送波といった一時的媒体を含まない。
【００６０】
用語「含む（include）」「備える（comprise）」又はそれらの任意の他の変形は、非排他的な包含をカバーするように意図されているので、要素の一覧を含むプロセス、方法、商品、又はデバイスは、それらの要素を含むだけでなく、明示的に列挙されていない他の要素をも含む、又は、そのようなプロセス、方法、商品、又はデバイスに固有の要素を更に含む、ということに更に留意することは有益である。「を含む（includes a ...）」の前にある要素は、それ以上の制約がなければ、その要素を含むプロセス、方法、商品、又はデバイスに追加の同一要素が存在することを排除しない。
【００６１】
当業者は、本願の実施が、方法、システム、又はコンピュータプログラム製品として提供され得ることを理解すべきである。したがって、本願は、ハードウェアのみの実施、ソフトウェアのみの実施、又はソフトウェアとハードウェアの組み合わせを有する実施の形態を用いることができる。更に、本願は、コンピュータ使用可能なプログラムコードを含む、１つ又は複数のコンピュータ使用可能な記憶媒体（磁気ディスク記憶装置、ＣＤ‐ＲＯＭ、光学メモリなどを含むがこれに限定されない）に実装されるコンピュータプログラム製品の形態を用いることができる。
【００６２】
前述の説明は、本願の単なる実施であり、本願を限定するものではない。当業者であれば、本願は様々な修正及び変更を行うことができる。本願の精神及び原理内においてなされた変更、均等物の置換、改良などは、本願の特許請求の範囲の範囲内に入るものとする。
【図１】
2019512806.tif 000007
【図２】
2019512806.tif 000008
【国際調査報告】
2019512806.tif 000009
2019512806.tif 000010
2019512806.tif 000011
2019512806.tif 000012